(57)【要約】      （修正有）【課題】カップ支えをはずすことができるコーヒーカプセルのエキストラクッション装置を提供する。【解決手段】支え部品と、コーヒー箱部品と、カプセル穿孔装置とを具備する。支え部品には、コーヒー箱部品が格納されるキャビティを有する支え１１と、支えの上端にパネル１２が設けられる。コーヒー箱部品は、カップ体２１とカップ支え２２を有し、キャビティに解体可能に設置される。カプセル穿孔装置は、ハンドルとエキストラクッション皿３６、および両者間に連結されるクランクスライドブランク装置を有して、パネル１２に設置される。【選択図】図１
0003169139.tif 000002
【実用新案登録請求の範囲】
【請求項１】
コーヒー箱部品が格納されるキャビティを設ける支えおよび該支えの上端にパネルが設置される１つの支え部品と、
コーヒーカプセルを中に入れて底部に上針が設置されるカップ体および該カップ体が放置されるカップ支えを有して、また該支えのキャビティから解体出来て設置される、１つのコーヒー箱部品と、
該支え部品パネルの上表面に設置されるハンドル、および底部に上針を設けるエキストラクション皿、および該ハンドルと該エキストラクション皿との間に連結されるクランクスライドブランク装置を有して、かつ該支えパネルに設置される、１つのカプセル穿孔装置と、を具備することを特徴とするコーヒーカプセルのエキストラクション装置。
【請求項２】
該クランクスライドブランク装置には、少なくとも該パネルを通してハンドルの中部底面に連結される１つのタイバーが設けられて、および少なくともその上端が該タイバーの下端に設けられてかつその下端が該エキストラクション皿に連結される１つの連接棒が設けられていることを特徴とする請求項１に記載のコーヒーカプセルのエキストラクション装置。
【請求項３】
該支えの内壁の対応両側に各別縦方向の軌道が設けられていることを特徴とする請求項１に記載のコーヒーカプセルのエキストラクション装置。
【請求項４】
該コーヒー箱部品のカップ支えには、外殻体とカップ座が設けられていることを特徴とする請求項１に記載のコーヒーカプセルのエキストラクション装置。
【請求項５】
該コーヒー箱部品のカップ体には、上カップ体と下カップ体を有し、該下カップ体が該上カップ体底部に嵌め込んで連結され、該上カップ体底部にスルーホールが設けられて、該下針の一端が該スルーホールに嵌め込んで連結され、もう一端が上に向いて上カップ体のキャビティの中に挿し込んでいることを特徴とする請求項１に記載のコーヒーカプセルのエキストラクション装置。
【請求項６】
該ハンドルの一端が該パネルに連結され、相対のもう１つの自由端に押し板が設けられ、該押し板の底部に掛槽が設けられ、該パネルに該掛槽に対応する掛け金が設けられ、該掛け金が該掛槽に掛けて連結されていることを特徴とする請求項１に記載のコーヒーカプセルのエキストラクション装置。
【請求項７】
該エキストラクション皿の上表面に一対の上部突起が設けられ、各該突起に連接棒の下端と連結するための穴が設けられ、エキストラクション皿の前後両側に別々該支えの内壁にある縦方向の軌道に対応する側部突起が設けられ、該側部突起が該軌道に沿って滑ることを特徴とする請求項１に記載のコーヒーカプセルのエキストラクション装置。
【請求項８】
該エキストラクション皿と該上針との間に密封シリコンフィルムが設けられていることを特徴とする請求項１に記載のコーヒーカプセルのエキストラクション装置。
【請求項９】
該上針と下針が空心構造で設けられていることを特徴とする請求項１に記載のコーヒーカプセルのエキストラクション装置。
【請求項１０】
請求項１に記載のコーヒーカプセルのエキストラクション装置が使用されていることを特徴とするカプセル式コーヒーマシン。
【考案の詳細な説明】
【技術分野】
【０００１】
本考案は家用電気製品に関して、特にコーヒーカプセルのエキストラクション装置に関する。
【背景技術】
【０００２】
コーヒーは人々の日常的な飲み物の１つであり、コーヒーを作るのは常にコーヒーマシンを使っている。コーヒーマシンは通常のコーヒーマシンとカプセル式コーヒーマシンに分類される。通常のコーヒーマシンはコーヒー豆を挽く作業から、コーヒーを沸かす作業までを行うが、カプセル式コーヒーマシンは挽いたコーヒー粉をゼリーカップ状の器の中に内封し、そのコーヒーを沸かす作業のみを行う。カプセル式コーヒーマシンはコーヒー豆を挽く必要がないので、簡単に使用できるという長所がある。伝統的なカプセル式コーヒーマシンは、一般的に支えを有し、支えの中にコーヒー箱を入れているカップ体が設置され、使用時、コーヒーカプセルをカップ体の中に入れてから、コーヒーカプセルを穿孔し抽出している。支えからカップ体が取れないので、毎回使用後、コーヒー残り液と残りかすがカップ体の中に残り、結果洗いにくく、次の沸かしたコーヒーの味に影響を及ぼす。さらに長く放置して洗わない場合には、使用者の健康に影響がある。また伝統的なカプセル式コーヒーマシンは穿孔部品の構成が複雑であるという欠点もある。
【考案の概要】
【考案が解決しようとする課題】
【０００３】
そこで、本考案は、伝統的なカプセル式コーヒーマシンのカップ体が洗いにくいことを解決するために、カップ支えがはずせるコーヒーカプセルのエキストラクション装置を提供することを目的とする。
【０００４】
本考案は、簡単なカプセルが刺される構造も提供することを目的とする。
【課題を解決するための手段】
【０００５】
上記課題を解決するために成された本考案に係るコーヒーカプセルのエキストラクション装置は、コーヒー箱部品を格納するキャビティが設置される支えおよび該支えの上端に設置されるパネルを有する１つの支え部品と、中にコーヒーカプセルが入れて底部に上針が設置されるカップおよび該カップが放置されるカップ支えを有し、また該支えのキャビティから解体出来、設置される１つのコーヒー箱部品と、該支え部品のパネルの上表面に設置されるハンドルおよび底部に上針を設けるエキストラクション皿および該ハンドルと該エキストラクション皿との間に連接されるクランクスライドブランク装置を有し、かつ該支えパネルに設置される１つのカプセル穿孔装置とを具備するコーヒーカプセルのエキストラクション装置である。
【図面の簡単な説明】
【０００６】
【図１】本考案の一実施例の組み立て図。
【図２】本考案のコーヒー箱部品の断面図。
【図３】本考案の支え部品とカプセル穿孔部品の組み立ての断面図。
【図４】本考案の使用中の様子の構成図。
【図５】支え部品の立体構成図。
【図６】カプセルエキストラクション皿の立体構成図。
【図７】カップ支えの立体構成図。
【図８】本考案のハンドルの組み立て図。
【図９】タイバーの立体構成図。
【考案を実施するための形態】
【０００７】
該クランクスライドブランク装置には、少なくとも該パネルを通してハンドルの中部底面に連結される１つのタイバーが設けられて、および少なくともその上端が該タイバーの下端に連結され、かつその下端が該エキストラクション皿に連結される１つの連接棒が設けられる。該クランクスライドブランク装置の作用によって、ハンドルの動きがエキストラクション皿に上下移動させる。
【０００８】
該支えの内壁の対する両側に各別縦方向の軌道が設けられる。
【０００９】
該コーヒー箱部品のカップ支えには外殻体とカップ座が設けられる。該カップ座は該支えのキャビティの形に対応している。
【００１０】
該コーヒー箱部品のカップ体には、上カップ体と下カップ体を有し、該下カップ体が該上カップ体底部に嵌め込んで連結されて、該上カップ体底部にスルーホールが設けられて、該下針の一端が該スルーホールに嵌め込んで連結されて、もう一端が上に向いて上カップ体のキャビティの中に挿し込んでいる。
【００１１】
該ハンドルの一端が該パネルに連結されて、相対するもう１つの自由端に押し板が設けられ、該押し板の底部に掛槽が設けられ、該パネルに該掛槽に対応する掛け金が設けられ、該掛け金が該掛槽に掛けて連結される。
【００１２】
該エキストラクション皿の上表面に一対の上部突起が設けられて、各該突起に連接棒の下端と連結するための穴が設けられ、エキストラクション皿の前後両側に別々該支えの内壁にある縦方向の軌道に対応する側部突起が設けられ、該側部突起が該軌道に沿って滑る。
【００１３】
該エキストラクション皿と該上針との間に密封シリコンフィルムが設けられる。
【００１４】
該上針と下針が空心構造に設けられる。
【００１５】
カプセル式コーヒーマシンには該コーヒーカプセルのエキストラクション装置が使用される。
【００１６】
本考案は伝統的な技術に比べて、以下のように述べる長所がある。ａ：構造が組み立てやすく、ねじが不要で、単独に一体組み立てができ、前加工に便利で、組立の時間が短く、生産能力を高める。ｂ：動作が簡単で、ハンドルの回転によってコーヒーカプセルが刺しつけることを実現する。手でハンドルを下方向に押すと、ハンドルを軸に回転し、クランクスライドブランク装置によってカプセルのエキストラクション皿に上下方向に動かす。該カプセルのエキストラクション皿を軌道に経由して下方向へ押すと、上針は先にカプセルの上表面を刺してから、圧力が続けて下方向へいってコーヒーカプセルの下表面を刺す。コーヒーの液が空心の上下針によって抽出できる。ｃ：コーヒー箱部品がコーヒー本体から外して、皿洗い機に入れて洗うことができるため、使用者のニーズを満たし、便利で気に入るであろう。
【実施例】
【００１７】
図１から図５までに示すように、コーヒーカプセルのエキストラクション装置は、支え部品１と、コーヒー箱部品２と、カプセル穿孔装置３と、を具備している。
【００１８】
該支え部品１は支え１１と該支え１１の上端に設置されるパネル１２とを具備して、該支え１１がケースの形に設けられて、その下部にコーヒー箱部品２を収納するキャビティ１１１が設けられて、該キャビティ１１１の一側に開口が設けられてコーヒー箱が入れて取れるためのである。ケースの内壁中部を回している横向き止め板１１２が設けられて、それがケースの内壁からキャビティ１１１の内部に伸びて形成され、かつ軌道１１３が設けられ、それが２つの横向き突起の凹入部に設けられ、その位置が内壁の中部で上端に近いところから横向き止め板１１２まで伸ばす。該軌道１１３が２つ前後対称に設置され、パネル１２の左端に掛け金１２２が設けられ、その中部に連接座１２３およびマイクロスイッチ１２１が設けられる。
【００１９】
該コーヒー箱部品２が該支え１１の下部のキャビティ１１１の内で解体でき組み立ちてられて、それにはコーヒーカプセル２４を入れるカップ体２１および該カップを放置するカップ支え２２を有す。カップ支え２２には外殻２２２とカップ座２２１を有し、該カップ座２２１がカップの開口によって該キャビティ１１１に取り出されてあるいは放置されて、該カップ座２２１にカップ体を収納するカップキャビティ２２１１が設けられる。該カップ体２１は上カップ体２１１および下カップ体２１２を有し、該下カップ体２１２の上端が該上カップ体２１１の下端に嵌めて連結される。該上カップ体２１１の底部の一側にスローホールが設けられて、スローホールの内に中空下刺し針２３が設けられて、該中空下刺し針２３が上カップ体２１１のキャビティに刺し込まれる。
【００２０】
該カプセル穿孔装置３には、該支え部品１のパネル１２の上表面に固定して組み立てるハンドル３１と、その底部に中空上針３８が設置されるエキストラクション皿３６と、該ハンドル３１と該エキストラクション皿３６との間に連結されるクランクスライドブランク装置とを具備して、該クランクスライドブランク装置には一対の引っ張り棒３２と一対の連接棒３４が設けられる。
【００２１】
該ハンドル３１の右端が該パネル１２の連接座１２３の上に回して連結され、もう一端即ち左端が移動できる自由端に設けられる。該ハンドル３１は上ケース３１１と、上ケース３１１に配合する遮板３１３および押し板３１２と、を有して、該押し板３１２が遮板３１３と上ケース３１１との間に設けられてかつハンドル３１の左端に位置される。該押し板３１２の底部に該掛け金１２２に合う槽３１２１が設けられ、該掛け金１２２が槽３１２１に掛けて連結される、または槽３１２１から離脱でき、それから該ハンドル３１がパネル１２から離脱でき、またパネル１２に掛け連結される。該押し板３１２の内端にスプリングを嵌めこんで連結される柱３１２２も設けられて、該遮板３１３の対応位置にもう１つスプリングを嵌めこんで連結される柱３１３２が設けられる。
【００２２】
引っ張り棒３２が２枚の円弧棒に連結され、その上端が中間板３２１でお互いに連結され、中間板３２１の上にねじ穴３２１１が設けられ、それで引っ張り棒３２が遮板３１３の底部に固定連結される。引っ張り棒３２の底端にピン３３によって一対の連接棒３４が連結されて、該連接棒３４の下端が一対のピン３５でエキストラクション皿３６に連結される。
【００２３】
該エキストラクション皿３６の前後側面に突起３６１が１つずつ設けられて、該突起３６１が縦方向の軌道１１３に沿って上下方向に動き、それによって該エキストラクション皿３６が支え１１の内壁に設置される縦方向の軌道１１３に沿って上下方向に動いてかつ位置制御される。エキストラクション皿３６の上表面に２つの固定部３６２が設けられて、連接棒３４が固定され、エキストラクション皿３６の中央部に針筒３６３が設けられて、その中に中空上刺し針３８が設けられて（図４参照）、該針筒３６３の底部と該エキストラクション皿３６との間に密封シリコンフィルタ３７が設けられる。
【００２４】
使用する場合に、手で押し板３１２を押しあって、掛け金１２２にハンドル３１から離して、このときハンドル３１が移動できる。上方向へハンドル３１を上げると、引っ張り棒３２と連接棒３４との作用によって、エキストラクション皿３６に軌道１１３に沿って垂直に上方向へ動かせる。コーヒーカプセル２４を上カップ体２１１の中に入れてから、コーヒー箱部品２を水平にコーヒーマシンの中に放置する。下方向へハンドル３１を押しあって、エキストラクション皿３６に軌道１１３に沿って垂直的に下方向へ動かして、コーヒーカプセル２４を中空上刺し針３８に突き刺してしまった後、コーヒーのエキストラクションが始める。使用完了後、コーヒー箱部品２が反対方向へ水平的に本体から取り外して洗う。
【００２５】
以上に述べたのは本考案の単なる具体的な実施の形態である。しかし、本考案の設計構想はこれのみに限らず、この構想に基づいて本考案を非実質的に直したならば、皆本考案の保護範囲を犯すはずである。
【符号の説明】
【００２６】
１    支え部品
２    コーヒー箱部品
３    カプセル穿孔装置
１１  支え
１２  パネル
２１  カップ
２２  カップ支え
２３  中空下刺し針
２４  コーヒーカプセル
３１  ハンドル
３２  引っ張り棒
３３  ピン
３４  連接棒
３５  ピン
３６  エキストラクション皿
３７  密封シリコンフィルタ
３８  中空上刺し針
【図１】
0003169139.tif 000003
【図２】
0003169139.tif 000004
【図３】
0003169139.tif 000005
【図４】
0003169139.tif 000006
【図５】
0003169139.tif 000007
【図６】
0003169139.tif 000008
【図７】
0003169139.tif 000009
【図８】
0003169139.tif 000010
【図９】
0003169139.tif 000011